(57)【要約】  本発明は、例えば、太陽光発電機１００において発光型太陽集光器ＬＳＣとして用いられ得る発光変換器１０１に関する。前記発光変換器１０１は、発光体のマジックサイズクラスタ１１０、ＭＳＣを有する。好ましくは、前記発光体は、第ＩＶ族及び第ＶＩ族からの２つの元素の化合物、例えばPbSeを有する。前記ＭＳＣ１１０は、透明な導光素子１２０に埋め込まれてもよく、又は前記透明な導光素子１２０の表面上の薄膜に埋め込まれてもよい。
2013529372.tif 000002
【特許請求の範囲】
【請求項１】
発光体の、ＭＳＣと呼ばれるマジックサイズクラスタを有する発光変換器。
【請求項２】
前記ＭＳＣが、3nm以下の直径を持つことを特徴とする請求項１に記載の発光変換器。
【請求項３】
前記ＭＳＣが、対称微結晶であることを特徴とする請求項１に記載の発光変換器。
【請求項４】
前記ＭＳＣが、元素周期表の第ＩＶ族及び第ＶＩ族、若しくは第ＩＩ族及び第ＶＩ族、若しくは第ＩＩＩ族及び第Ｖ族からとられる２つの元素の化合物、又は元素周期表の第ＩＶ族からの単一の元素を有することを特徴とする請求項１に記載の発光変換器。
【請求項５】
前記ＭＳＣが、PbSe及び他の塩、CdSe、InP、GaAs、並びにSiから成るグループから選択される化合物を有することを特徴とする請求項１に記載の発光変換器。
【請求項６】
前記ＭＳＣが、コーティング、とりわけ、有機材料及び／又はPbSのような無機半導体を含むコーティングで覆われることを特徴とする請求項１に記載の発光変換器。
【請求項７】
前記ＭＳＣ、又は前記ＭＳＣのコーティングが、線放出ドーパント、とりわけ、Nd、Dy、Ho、Er又はTmのような希土類元素を有することを特徴とする請求項１に記載の発光変換器。
【請求項８】
ＭＳＣが、異なるサイズを持ち、前記ＭＳＣが、好ましくは、前記ＭＳＣ間で放射又は非放射エネルギ伝達が行われ得るようにして分散されることを特徴とする請求項１に記載の発光変換器。
【請求項９】
より大きいＭＳＣの密度が、より小さいＭＳＣの密度より低いことを特徴とする請求項８に記載の発光変換器。
【請求項１０】
前記ＭＳＣの密度が、前記発光変換器内で空間的に一様でなく、好ましくは、前記発光変換器の縁の近くでより低い値を持つことを特徴とする請求項１に記載の発光変換器。
【請求項１１】
前記ＭＳＣ以外に、付加的なフルオロフォア、とりわけ、有機色素、無機蛍光体、又は量子ドット若しくは量子ロッドを有することを特徴とする請求項１に記載の発光変換器。
【請求項１２】
前記ＭＳＣによって放出される光を目標位置へ案内するための導光素子、とりわけ、ガラス又はポリマ製の導光素子を有することを特徴とする請求項１に記載の発光変換器。
【請求項１３】
前記ＭＳＣが、前記導光素子に埋め込まれること、及び／又は前記ＭＳＣが、前記導光素子の表面上の薄膜に埋め込まれることを特徴とする請求項１２に記載の発光変換器。
【請求項１４】
請求項１に記載の発光変換器を備える発光型太陽集光器と、
前記発光変換器の光放出を受け取るよう配設される光電池とを有する太陽光発電機。
【請求項１５】
ＭＳＣが、例えば焼結法によって、直接、導光素子において合成されることを特徴とする、発光変換器、とりわけ、請求項１に記載の発光変換器を製造する方法。
【発明の詳細な説明】
【技術分野】
【０００１】
本発明は、入射光のスペクトルの一部をより長い波長に変換するための発光変換器に関する。本発明は、更に、このような発光変換器を製造する方法、及びこのような発光変換器を有する太陽光発電機に関する。
【背景技術】
【０００２】
US 2009/0010608 A1が、日光のスペクトルの或る特定の一部を吸収するのに用いられる発光型太陽集光器（ＬＳＣ）であって、吸収されるエネルギが、関連する太陽電池の吸収特性に適合するより大きい波長で再放出される発光型太陽集光器（ＬＳＣ）を開示している。特定の実施例においては、ＬＳＣは、発光体としてPbSeの量子ドットを含み得る。
【発明の概要】
【発明が解決しようとする課題】
【０００３】
この背景に基づいて、本発明の目的は、効率及びコストに関して改善された特性を備える、とりわけ日光の、光エネルギを変換するための手段を提供することである。
【課題を解決するための手段】
【０００４】
この目的は、請求項１に記載の発光変換器、及び請求項１５に記載の太陽光発電機によって達成される。好ましい実施例は、従属請求項において開示されている。
【０００５】
本発明による発光変換器は、発光体のマジックサイズクラスタ(magic-sized clusters)を有することを特徴とする。以下では「ＭＳＣ」と略記するマジックサイズクラスタは、或る特定（「マジック」）の個数の原子を有することから熱力学的に安定である小さい微結晶である。原子であって、前記原子のＭＳＣが構成される原子の個数は、離散値である。なぜなら、原子の個数を増大又は減少させるための活性化エネルギがkTより著しく大きい熱力学的最低値が、ちょうどその離散的な（マジックの）個数において達成されるからである。それ故、安定しているＭＳＣの離散サイズは限られた数しかない。これは、原子を追加する又は取り除くための活性化エネルギがkTに近く又はkTより小さく、その結果、原子の個数が或る特定の離散値に限定されないより大きいナノ結晶（例えば量子ドット）の場合と異なる。離散サイズのＭＳＣからＱＤサイズの連続体への遷移は、2乃至3nmの範囲内である。ＭＳＣ、及びＭＳＣを生成する方法についてのより多くの情報は、文献において見いだされ得る（例えば、WO 2009/120688 A1；Evans他："Ultrabright PbSe Magic-sized Clusters", Nano Letters 2008, 8(9), 2896-2899；これらの文献は、参照により本願に盛り込まれる）。
【０００６】
ＭＳＣの発光体としての使用は、様々な理由で好都合であると分かった。ＭＳＣの吸収及び再放出スペクトルは、例えば、太陽スペクトルの大部分が吸収され、太陽電池の特性に非常によく適合する波長で再放出され、前記発光変換器を発光型太陽集光器（ＬＳＣ）における使用に適するようにするように選択されることができる。更に、吸収スペクトルと放出スペクトルとの間の重なりは、小さくされることができ、光子の再吸収による損失を最小限にする。更に、ＭＳＣは、多くの場合、前記発光変換器の性能を向上させる高い量子効率を持つ。
【０００７】
前記発光変換器のＭＳＣは、好ましくは、3nm以下の直径を備える微結晶である。
【０００８】
更に、前記ＭＳＣは、好ましくは、対称微結晶である。この方法においては、表面原子の個数が最小化され、発光を消滅させ得る格子欠陥の濃度が非常に低い熱力学的に安定的な組成をもたらす。
【０００９】
前記ＭＳＣは、それらの化学組成に関して、好ましくは、半導体、最も好ましくは、各々、元素周期表の第ＩＶ族及び第ＶＩ族からとられる２つの元素の化合物を有する。他のあり得る材料は、元素周期表の第ＩＩ族及び第ＶＩ族又は第ＩＩＩ族及び第Ｖ族からとられる２つの元素の化合物を含む。第ＩＶ族からの単一の元素のＭＳＣも含まれる。このような化合物のとりわけ好ましい例は、鉛塩、例えば、PbSe、PbTe又はPbSを含む。他の利用可能な化合物は、例えば、CdSe、InP、GaAs及びSiである。
【００１０】
前記ＭＳＣは、単一の均質な材料から構成されてもよい。好ましい実施例においては、前記ＭＳＣは、コーティングで覆われる。この方法においては、前記ＭＳＣの有利な特性が、用いられるコーティングのタイプに依存する付加的な良い特徴で補完されることができる。前記コーティングは、例えば、有機材料、及び／又はPbSのような無機半導体を含み得る。前記コーティングは、例えば、ＭＳＣの表面を不動態化してもよく、従って、それを保護し、前記発光変換器の寿命を増大させる。
【００１１】
前記ＭＳＣ、又は（存在する場合には）前記ＭＳＣの前記コーティングは、前記ＭＳＣの前記放出を小さい波長範囲に集中させるのに役立つ線放出ドーパント(line-emitting dopant)を随意に含み得る。前記線放出ドーパントは、詳細には、Nd、Dy、Ho、Er又はTmのような希土類元素（イオン）であり得る。
【００１２】
前記発光変換器の前記ＭＳＣは、全て、同じサイズのものであってもよく、即ち、ぴったり同じ個数の原子を有してもよい。他の例においては、前記発光変換器の前記ＭＳＣは、異なるサイズを持つ少なくとも２種類の微結晶に属し得る。前記ＭＳＣの吸収及び放出挙動は、それらのサイズに依存するので、前記発光変換器のスペクトル特性は、前記ＭＳＣのサイズ分布を介して調節されることができる。ＭＳＣのサイズは、最も好ましくは、異なるサイズの前記ＭＳＣ間でエネルギ伝達が行われ得るようにして、選択され得る。
【００１３】
自己吸収による損失を減らすために、上記の実施例におけるＭＳＣのサイズの分布は、好ましくは、前記ＭＳＣの密度が、前記ＭＳＣのサイズに反比例している（即ち、大きなＭＳＣの密度は、小さなＭＳＣの密度より低い）ようにして選ばれる。
【００１４】
本発明の別の好ましい実施例においては、前記ＭＳＣの密度は、前記発光変換器内で空間的に一様でない。この方法においては、吸収及び放出特性が、前記変換器の幾何学的設計に最適に適合され得る。この点において、前記ＭＳＣの密度は、前記発光変換器の少なくとも１つの縁、とりわけ、縁であって、前記縁を通して光が放出される縁の近くで、より低い値を持つことが好ましい。
【００１５】
前記発光変換器は、前記ＭＳＣ以外に、付加的な発光体として別のフルオロフォアを含み得る。前記フルオロフォアは、例えば、前記ＭＳＣと同じ空間（マトリックス）にわたって分散されてもよく、前記ＭＳＣ微結晶のまわりのコーティング中に配置されてもよい。
【００１６】
前記発光変換器は、好ましくは、前記ＭＳＣによって放出される光を、目標位置、例えば光電池へ案内するための導光素子を有する。前記ＭＳＣは、前記導光素子の表面上に配置されてもよく、且つ／又は前記ＭＡＣは、前記導光素子に埋め込まれてもよい。前記導光素子は、とりわけ、ガラス又はプラスチックの透明な平板であり得る。
【００１７】
更に、前記発光変換器は、随意に、光が望ましくない方向に放出されるのを防止するために、その表面のうちの少なくとも１つに、鏡を含み得る。
【００１８】
上記の種類の発光変換器は、とりわけ、発光型太陽集光器（ＬＳＣ）としての役割を果たし得る。それ故、本発明は、このようなＬＳＣを、前記ＬＳＣの光放出を受け取るよう構成される太陽電池と組み合わせて有する太陽光発電機にも関する。前記ＬＳＣは、大きな領域において入射（太陽）光を集め、それをより大きな波長に変換し、それを前記太陽電池上に集中させるのに用いられ得る。従って、比較的高価な太陽電池を、小さな領域に制限することができる。
【００１９】
更に、本発明は、発光変換器、とりわけ、上記の種類の変換器を製造する方法に関する。前記方法は、例えば、鉛及びカルコゲニド前駆体がドーピングされているシリカを高温で焼結することによって、ＭＳＣが、直接、導光素子において合成されることを特徴とする。この方法においては、同じ空間領域において導光特性と発光特性とを組み合わせる単一のステップにおいて素子が製造され得る。
【００２０】
本発明のこれら及び他の態様を、下記の実施例に関して説明し、明らかにする。これらの実施例は、一例として、添付図面を用いて説明されている。
【図面の簡単な説明】
【００２１】
【図１】本発明の第１実施例による発光型太陽集光器を備える太陽光発電機の分解斜視図を概略的に示す。
【図２】本発明の第２実施例による発光型太陽集光器を備える太陽光発電機の分解斜視図を概略的に示す。
【図３】テトラクロロエチレン中に分散されるPbSeのＭＳＣの吸収スペクトル及び放出スペクトルを示す。
【発明を実施するための形態】
【００２２】
図において、同じ参照番号又は100の整数倍だけ異なる参照番号は、同一又は同様の構成要素を指す。
【００２３】
以下においては、主に、特定のアプリケーションに関して、即ち、「発光型太陽集光器」ＬＳＣとして、本発明を説明する。前記ＬＳＣの概念は、蛍光色素を含有する透明な（ポリマ又はガラスの）板をベースにしている。太陽放射線が、前記色素によって吸収され、全方向に再放出される。ポリマ又はガラスマトリックス内の内部反射のため、再放出される光の大部分が、板の、太陽電池が取り付けられ得る側面に案内される。従って、日光を集める相対的に大きな領域のために、有効面積が小さい太陽電池しか必要とされず、装置を経済的に有利にする。
【００２４】
しかしながら、最新技術のＬＳＣの全体的な効率は、依然として、従来の太陽電池と競争するのに十分ではない（Currie, Science 321 (2008) 226）。これは、
（１）板によって吸収されない光、
（２）エスケープコーン（escape cone）内に再放出され、それにより、板を出る光、
（３）色素の、1より低い量子効率、
（４）色素の吸収及び放出帯域のスペクトル重複による放出された光の再吸収に起因する損失メカニズムのためである。再吸収が、主な損失メカニズムである。なぜなら、それは、損失メカニズム（２）及び（３）が生じる新たな機会をもたらすからである。
【００２５】
上記の損失メカニズムは、全て、25%より大きくない光学効率（太陽電池システム効率<5%）の一因となる。従来、ＬＳＣに用いられる全ての材料に、或る不利な点があった。有機色素は、高い量子効率を持つが、吸収帯域が小さく、光安定性が低く、放出と吸収との間のスペクトル重複が大きいという欠点がある。蛍光色素以外にも、量子ドット若しくは量子ロッド、又は蛍光体（希土類及び遷移金属）が、フルオロフォアとして用いられ得る。これらの無機発光体には、一般に、有機色素と比べて光安定性がより高いという共通の利点がある。量子ドット（及びロッド）には、吸収帯域が広いという付加的な利点があるが、ストークスシフトが小さく、従って、再吸収が多いという欠点がある。蛍光体には、線放出が狭く、ストークスシフトが大きいという利点があるが、多くの場合、吸収断面が小さく、吸収帯域が狭いという欠点がある。
【００２６】
これを考慮して、ここで開示されている本発明は、発光変換器、とりわけＬＳＣにおける蛍光性材料としてＭＳＣを用いることによる、光のスペクトルダウン変換のための半導体マジックサイズクラスタの使用を提案する。ＭＳＣは、一般に3nmより小さい直径を持つ小さな無機微結晶である。これらの非常に小さなクラスタのためには、熱力学的に安定しているサイズは少数しか存在しない。これらの「マジックサイズ」は、表面原子数が相対的に少なく、従って、異なる個数の原子を備えるクラスタより自由エネルギが低い（対称形）クラスタを形成する一定の原子数に対応する。より大きなサイズの微結晶、例えば、量子ドットの場合は、この効果はより小さくなり、従って、多くのサイズ及び形状があり得る。
【００２７】
ＭＳＣは、上記の損失メカニズム（１）、（３）及び（４）からみて、有利であることが分かる。なぜなら、それらは、吸収帯域が広く、ストークスシフトが大きい非常に効率的なフルオロフォアを供給するからである。この点において、例として、図３が、テトラクロロエチレン中に分散されるPbSeのＭＳＣの、波長λに依存する光吸収スペクトル（実線、吸収率Aの左軸）及び発光スペクトル（白丸、フォトルミネッセンスPの右軸）を示している。より詳細には、ＭＳＣの以下の有利な面が最も重要である。
（ａ）例えばPbSeのＭＳＣの放出が、一般に、（経済的観点及び実際的観点から、ＬＳＣにおける使用のための最も魅力的な候補である）従来のシリコン太陽電池の最適効率範囲と非常に適合する700乃至900nmの範囲内にある。
（ｂ）ＭＳＣの吸収帯域が広く、入って来る太陽放射線の大部分の吸収に有利である（図３の左側曲線参照）。
（ｃ）吸収帯域と放出帯域との間の重複が小さく、これは、例えば量子ドット又は色素と比べて、ＭＳＣの重要な利点である（図３参照）。
（ｄ）PbSeのＭＳＣの量子効率（ＱＥ）が、現在、50乃至90%に及ぶ（Evans, Nano Letters 2008, 2896）。このＱＥは、最適化された反応条件によって、又はPbSeのＭＳＣのまわりに不動態化有機又は無機コーティングを付すことによって、更に高められ得ることが期待される。しかしながら、CdSeのＭＳＣは、より低いＱＥを持つかもしれない（Bowers他, JACS 2005, 127, 15378）。
（ｅ）ＭＳＣの合成が、室温で、簡単であり、例えばグラム量へのアップスケーリングを可能にする。合成の収率は、反応を連続プロセスに変えることによって、又は反応していない前駆体材料を再利用することによって、高められ得ることに注意されたい。
【００２８】
図３の吸収帯域及び放出帯域は、様々なサイズのＭＳＣを含有する分散系に対して測定された。これは、大きく、均一な線幅と組み合わせて、PbSeのＭＳＣの相対的に広い放出スペクトルを説明する。それは、１つのサイズのＭＳＣの分散系のスペクトル重複は、図３のサイズ混合物に対して示されるものより更に小さいことも意味する。ストークスシフトが大きく、放出帯域が狭いことの利点は、自己吸収の低減だけではなく、それは、ＬＳＣの性能を改善するために付され得る波長選択鏡の設計も容易にし、それは、ＬＳＣによる最大可能集光を増大させる。PbSeのＭＳＣのストークスシフトが大きい原因は、まだよく理解されていないことに注意されたい。
【００２９】
本発明に従って用いられ得るＭＳＣは、特に、第ＩＶ−ＶＩ族半導体のＭＳＣ、更により具体的には鉛塩（例えばPbSe）を有する。これらのＭＳＣは、ＬＳＣにおける使用に非常に有利であるユニークな光学特性を呈することが明らかになった。これ以外に、第ＩＩ−ＶＩ族半導体（例えばCdSe）、第ＩＩＩ−Ｖ族半導体（例えばInP）、又はシリコンのマジックサイズクラスタも用いられ得る。
【００３０】
発光型太陽集光器ＬＳＣ１０１の一般的な設計の図が、図１に示されている。ＬＳＣ１０１は、フルオロフォア、この場合にはＭＳＣ１１０を含有する板をマトリックス１２０として有する。マトリックス１２０の側面には、太陽電池１３０が取り付けられ、随意に、鏡１４０も取り付けられる。太陽電池及び鏡の個数、並びにそれらが板のどの側面に取り付けられるかは、様々であることができ、例えば、板１２０のサイズ及び形状に依存する。全ての構成要素が、一緒に、太陽光発電機１００を構成する。
【００３１】
マトリックス１２０又は板は、400nmと900nmとの間の範囲にわたって、好ましくは、300乃至1000nmの範囲にわたって透明でなければならない。それは、メチルメタクリレート（ＰＭＭＡ）、ポリカーボネート、ラウリルメタクリレート（ＬＭＡ）、２−ヒドロキシエチルメタクリレート（ＨＥＭＡ）、及びエチレングリコールジメタクリレート（ＥＧＤＭ）などの、ポリマ、及びポリマの混合物から成り得る。ポリマ・マトリックスを作成する場合、ピュアモノマ、又はポリエチルメタクリレートなどの予備重合された材料、又はモノマ及びポリマの混合物から始めることができる。板は、或る特定のアプリケーションのためには可撓性であってもよい。マトリックスは、ガラス（二酸化ケイ素）、酸化アルミニウム、又は二酸化チタンなどの透明な無機材料から成ってもよい。板１２０の形状は、必ずしも矩形ではなく、板１２０は、任意の他の所望の形状をとり得る。
【００３２】
ＭＳＣ１１０は、好ましくは、鉛塩半導体である（が、これに限定されない）。それらは、報告されているバッチルート（batch route）（上記のEvans他）によって、容易に、大量合成され得る。ＭＳＣの（光）安定性及び／又はＱＥを改善するために、無機クラスタは、１つ以上の無機半導体コーティングでコーティングされ得る（Xie他, J. Am. Chem. Soc., 2005, 127 (20), 7480）。例えば、PbSeのＭＳＣは、PbSeの表面を不動態化するためにPbSの少数の単分子層でコーティングされ得る。このコーティングの厚さは、好ましくは、0.1nmから10nmに及ぶ。表面を不動態化する、且つ／又はポリマ若しくはシリカ・マトリックス（機能性アクリル酸塩又はシランなどのＭＳＣ表面に取り付けるモノマ）への取り込みを容易にする有機コーティングも用いられ得る。ＭＳＣの合成後、マトリックスへの取り込みの前の、幾つかの精製ステップが好まれるだろう。
【００３３】
ＭＳＣ１１０は、図１に図示されているように、マトリックス１２０のメインボディに取り込まれ得る。
【００３４】
他の設計が図２に示されている。図２の太陽光発電機２００は、図１のものにほとんど似ており、それ故、再度説明はしない。本質的な違いは、ＭＳＣが、透明な担体基板２２０（例えば、ポリマ又はガラス板）の上又は下に薄い層２１０として付されることである。層２１０の一般的な厚さは、500nmから500マイクロメートルに及び、好ましくは、1マイクロメートルから100マイクロメートルに及ぶ。
【００３５】
ＬＳＣ１０１の最適な性能のためのマトリックス１２０内のＭＳＣの好ましい密度（図１）、又はＬＳＣ２０１の最適な性能のための上部／下部コーティング２１０内のＭＳＣの好ましい密度（図２）があるだろう。この文脈において、板の、光電池１３０、２３０及び／又は鏡１４０、２４０が配置される側面に向かって減少する密度を備えるマトリックス又はコーティングにわたる密度勾配を含むことは望ましいかもしれない。
【００３６】
ＭＳＣは、随意に、直接、例えばシリカ・マトリックスで合成されてもよく、図１によるＬＳＣ１０１をもたらす。これは、例えば、鉛及びカルコゲニド前駆体がドーピングされているシリカを高温で焼結することによって達成され得る。
【００３７】
別の実施例においては、放出帯域において勾配を持つよう、マトリックス１２０又はコーティング２１０に様々なサイズのＭＳＣが取り込まれる。これは、太陽放射の最適な吸収、最小再吸収損失、及びＬＳＣの最適な性能をもたらし得る。
【００３８】
ＭＳＣは、更に、異なるサイズであって、異なるサイズ間で放射又は非放射エネルギ伝達が行われ得る異なるサイズを持ち得る。この文脈において、最も大きい微結晶は、最も小さい密度で存在してもよく、これは、自己吸収の更なる低減をもたらし、密度勾配は必要ない。
【００３９】
別の実施例においては、ＭＳＣと、色素、蛍光体、量子ドット、又は量子ロッドのようなフルオロフォアとを組み合わせたものが、マトリックス１２０又はコーティング２１０に取り込まれる。ＭＳＣから他のフルオロフォアへの又はその逆の放射又は非放射エネルギ伝達が行われ得る。ＭＳＣは、例えば、入って来る光の吸収体の役割を果たしてもよく、吸収したエネルギを、（より低いエネルギにシフトされる別の波長で放出する）アクセプタ・フルオロフォアに伝達する。
【００４０】
更に、ＭＳＣ（又はＭＳＣのまわりの外殻）には、希土類イオンなどの線発光体（lineemitter）がドーピングされてもよい。ＭＳＣによって吸収されたエネルギは、希土類イオンに伝達され、それらの特定の輝線において再放出され得る。これは、ＭＳＣによる再吸収を更にもっと減らす。なぜなら、希土類イオンの線放出は、ＭＳＣの吸収帯域から十分に赤色シフトされるよう選択されることができ、線発光体遷移が、禁制遷移に対応するからである。ＭＳＣの、700乃至900nmの放出に対して、あり得るイオンは、例えば、Nd、Dy、Ho、Er、Tmであるが、これらに限定されない。更に、線放出は、放出される光をマトリックス内にとどめる干渉フィルタの使用も容易にする。
【００４１】
太陽電池１３０及び２３０に関する選択は、使用中のＭＳＣの放出帯域の最適有効範囲、全体的な効率、コスト、及び電池を必要とされる寸法で製造できる可能性に依存する。シリコン太陽電池は、これらの要件のほとんどを満たし、特に、鉛塩ＭＳＣの放出帯域と非常によく一致する波長範囲において最適な性能を持つ。従って、ＬＳＣの特定の効率／コスト要求に依存して、既存のタイプのシリコン太陽電池（単結晶、多結晶、アモルファス又は薄膜）のうちの１つが好まれるだろう。
【００４２】
GaAs又はInGaP電池は、 より高価であるが、ＬＳＣの全体的な効率が高いことが望まれる場合には有利であり得る。薄膜CdTe太陽電池、色素増感太陽電池、有機太陽電池又は多層セルも、幾つかの特定のケースにおいて有利であり得る。矩形ではない形をしたＬＳＣの場合には、ＬＳＣの形状に適応することができる可撓性太陽電池を用いることが望ましいかもしれない。
【００４３】
本発明は、とりわけ、発光型太陽集光器の分野に適用可能であり、より広くは、太陽電池のための効率的なスペクトルダウンコンバータに適用可能である。本発明は、ＬＥＤ又は他の照明アプリケーションにおけるスペクトルダウン変換のためにも適用され得る。
【００４４】
最後に、本願においては、「有する」という用語は、他の要素又はステップを除外せず、単数形表記は、複数性を除外せず、幾つかの手段の機能を単一のプロセッサ又は他のユニットが実現してもよいことを指摘しておく。本発明は、一つ一つの新規な特有の特徴、及び特有の特徴の一つ一つの組み合わせにある。更に、請求項の参照符号は、請求項の範囲を限定するものとして解釈されるべきではない。
【図１】
2013529372.tif 000003
【図２】
2013529372.tif 000004
【図３】
2013529372.tif 000005
【国際調査報告】
2013529372.tif 000006
2013529372.tif 000007
2013529372.tif 000008